(57)【要約】【課題】  ワインを含む流体をワインボトルまたはデキャンタなどから各人が飲むためのグラス、またはカップ等の容器に移す際、十分に空気に触れさせて味をマイルドにし、かつ香りを増長させるとともに、その際の流体そのものの移動が視覚的に美しい演出効果を伴う流体下降装置を提供すること。【解決手段】  本願の流体下降装置の基本構成１は上部が開いた流体受け部２と、該流体受け部の下部に配置される上部から下部に行くに従って口径が小さくなる漏斗状の流体収束部３と、筒部に設けられる複数の細い貫通孔５によって構成される流体噴出部４を備えて構成される。ボトル、デキャンタ等から注がれたワインを含む流体は、まず流体受け部２で受けられる。流体受け部２の下部に配置される流体収束部３は上部から下部に行くに従って口径が小さくなる漏斗状になっており、ここで受けた流体は該流体は筒部に複数の細い貫通孔５からなる流体噴出部４から外部に向かってシャワー状に噴出する。噴出された流体は次段の基本構成の流体受け部で受けられ、更に次段の基本構成へと導かれる。
2011118086.tif 000002
【特許請求の範囲】
【請求項１】
ワインを含む流体を下降させる流体下降装置であって、上方から注ぎこむ流体を受ける流体受け部と、前記流体受け部から流体が下方へと流れ込む漏斗状の流体収束部と複数の流体噴出孔を有する流体噴出部を有する基本構成を、１つまたは複数の前記基本構成を縦方向に連結し、着脱可能なことを特徴とする流体下降装置。
【請求項２】
前記流体下降装置の請求項１において、流体受け部と流体収束部が一体となった基本構成とすることを特徴とした流体下降装置。
【請求項３】
請求項１の流体下降装置において、複数の基本構成を接続リングによって接続して多段に重ねることができることを特徴とする流体下降装置。
【請求項４】
請求項１，３の流体下降装置において、流体受け部あるいは接続リング部、またはその両者に空気流通口を有することを特徴とする流体下降装置。
【請求項５】
請求項２の流体下降装置において、基本構成の流体収束部を支持する支持リングと、支持リング間を接続する支持柱によって構成される支持具により複数の請求項２に係る基本構成を多段に構成したことを特徴とする流体下降装置。
【請求項６】
請求項２の流体下降装置において、基本構成の流体収束部を支持する支持リングを別のスタンドから支持することを特徴とした流体下降装置。
【請求項７】
ワインを含む流体を下降させる流体下降装置であって、上方に広がった漏斗状であり上方から注ぎこむ流体を受ける流体受け部と、前記流体受け部から流体が下方へと流れ込む接続口と、前記流体受け部より下降する流体が通過し、かつ複数の流体噴出孔を有する筒部と、前記筒部に連設され、１つまたは複数の前記流体下降装置と縦方向に連結し、着脱可能な接続部とを具備することを特徴とする流体下降装置。
【請求項８】
前記流体下降装置の請求項７において、前記筒部に連設される前記接続部を他の該流体下降装置における前記接続口に接続して多段に重ねることができることを特徴とする流体下降装置。
【請求項９】
請求項７，８における前記接続部において、他の１つまたは複数の該流体下降装置と前記接続口において多段に連結される際、前記流体受け部によって受けた流体を前記接続口において下段の該流体下降装置の前記筒部内に導くよう、前記接続部内形と前期接続口外形との間に流体が通過する間隙を有することを特徴とする流体下降装置。
【請求項１０】
上記流体下降装置において、流体噴出部を、流体収束筒部より着脱可能にしたことを特徴とする流体下降装置。
【発明の詳細な説明】
【技術分野】
【０００１】
本発明は、ワインやジュースのような流体（飲食物に限定されない）をグラス等に注ぐ場合の流体下降装置に係り、特に、流体下降の様子を視覚的に強調して装飾的効果も持ち得る流体下降装置に関する。
【背景技術】
【０００２】
近年、食生活の欧米化によってパーティや慶事を祝うイベントだけでなく、日々の食事でもワインを飲むことが一般的になっている。通常、長い年月を経て熟成されたワインは非常に高価であるため、一般には比較的安価な「若いワイン」を飲む機会が多い。ところが、「若いワイン」は、作られてから時間が経っていないため熟成があまり進んでおらず、そのため、開栓後に空気に多く触れさせて酸化を促進し、味をマイルドにして香りを引き立たせる工程が必要となる。十分に味と香りを「開いて」から楽しむのである。【０００３】
味と香りを開く工程の１つとして、たとえば細口のデキャンタを片手で高く掲げ、もう片方の手に持ったグラスとできる限り距離を長く取りながらグラスに注ぎこむというものがある。この際、両手は上下左右に最大限離した状態にし、デキャンタを持つ片手からグラスを持った片手へとワインを移動させる。これによって、デキャンタをグラスの口に接する距離からワインを注ぐより多くの、かつ長時間空気に触れさせることが可能となる。さらに、この行為は視覚的に楽しめるものでもあり、食事の時間の演出にもなる。【０００４】
しかし、上述のように細口のデキャンタからグラスに注ぐ行為は、非常に高度な熟練技術が必要であり、誰にでも簡単にできるものではなく、ワインをこぼして床やテーブルを汚してしまう恐れがある。また、この行為を安全に行うためには、十分なスペースを確保する必要がある。【０００５】
さらに、飲料や液体を十分な空気に触れさせつつサーブすることのできる仕掛けとして、シャンパンタワーやチョコレートファウンテンなどもあるが、いずれも視覚的な演出性はあるものの、準備する手間や大がかりな機械が必要であるため、個人にも気軽に楽しめるものとは言えない。【０００６】
こうしたことを背景に、ワインに空気を触れさせて適度に酸化させるための装置が提案されている。【０００７】
先行文献１には、ワインと外気との接触を促進させ、かつオリやコルクのカスなどを除去する器具として、飲料の風味等を向上させ、さらには、オリやコルクのカスをとる飲料容器用注ぎ口中継器が開示されている。
【先行技術文献】
【特許文献】
【０００８】
【特許文献１】特開２００４−２５６１３８号公報
【発明の開示】
【発明が解決しようとする課題】
【０００９】
しかしながら、特許文献１に開示された飲料容器用注ぎ口中継器は、中継器本体側面に配置された金属メッシュにより、外気が中継器内に取り入れられるものの、実際にワインそのものが空気に触れることができるのは、中継器内を流れるワイン流体の表面のみに限定され、グラスに注ぎこむワインがまんべんなく酸化されることにはならない。【００１０】
また、ワインを含む流体を各人へサーブする行為は、食事やパーティなどのイベントにおいて場が盛り上がる演出的な効果が期待される行為である。視覚的効果と味覚的効果の両方の向上は、特許文献１に開示される飲料容器用注ぎ口中継器では期待できない。【００１１】
本発明は、上記のような従来技術の問題点を解決するためになされたものであり、その主たる目的は、ワインを含む流体をワインボトルまたはデキャンタなどから各人が飲むためのグラス、またはカップ等の容器に移す際、十分に空気に触れさせて味をマイルドにし、かつ香りを増長させるとともに、その際の流体そのものの移動が視覚的に美しい演出効果を伴う流体下降装置を提供することである。
【課題を解決するための手段】
【００１２】
かかる目的を達成するために、本発明に係る流体下降装置は、ワインを含む流体を下降させる流体下降装置であって、基本構成を複数重ねることによって達成される。本発明の基本構成の１つの実施例である第１種基本構成は、上方が広がった筒型容器状で、上方から注ぎこむ流体を受ける流体受け部と、前記流体受け部から流体が下方へと流れ込む漏斗状の流体収束部と、それに連なる複数の流体噴出孔を有する流体噴出筒部とを具備して構成される。【００１３】
かかる構成において、筒型である流体受け部の場合の口径は、ボトルまたはデキャンタ等から注がれるワインを含む流体をこぼすことなく受け止めるに十分な大きさを有しており、その下端部には、同上端内径に略等しい直径のリムが設けられている。このため、同構成の第１と第２の第１種基本構成を２個重ねた場合、第１の下端と第２の上端が嵌合する。またこの嵌合部分は螺合によっても同様効果が得られる。これによって、特別な技術や熟練を必要とせず、誰でも安全に複数の第１種基本構成を重畳することができる。【００１４】
上記流体受け部は、上方に十分な口径を有した筒型で、その底部はなだらかに下方へと流体を導くように口径が小さくなる、ほぼ漏斗型の流体収束部を有しており、その形は特に限定されるものではない。たとえば花の形、王冠型、優勝カップ型など、視覚的効果をさらに高めるような、美しい装飾が施された形状をしていてもよい。また、流体を受け、かつ一定時間保持していても形態保持性を担保すべく、一定の剛性及び一定以上の厚みを有して形成される。材質としては、流体の保持に耐えうるものであり、かつ注いで流下する流体を飲料として摂取するに十分な安全性を保持するものであれば、特に限定はなく、たとえばガラス、セラミック、プラスチック、樹脂、またはステンレスを含む金属であってもよい。厚みとしては、該流体下降装置を載せるグラス、カップ等の容器に対する重量による変形や破壊を防止しつつ流体保持性を害しないものであれば、特に限定はない。それぞれの材質を選択することにより、独特の演出効果が期待される。たとえば、本願に係る流体下降装置をガラス製で透明なものとした場合には、他（たとえば金属製）のものにはない透明感、清涼感等を醸し出す演出が可能となる。【００１５】
流体噴出筒部は、流体収束部の下方に設けられ、流体受け部に注がれたワインを含む流体が、流体受け部から流体収束部を通って流れ込む構造であり、特に形状に限定はない。該流体噴出筒部は、下方に複数の貫通孔から成る流体噴出部を有する。これによって、流体受け部から流下する流体は筒部を通り、該流体噴出部から外部へと噴出する。流体噴出部を構成する貫通孔は、流体が噴出するのに十分な口径を有しつつ細かく複数設けられることによって、この貫通孔から噴出する際に流体はその流体表面のみでなく、全体的にまんべんなく空気と触れ、適度に酸化させて味と香りを増長させることが可能となり、かつ噴水のように細い流体の線が弧を描きつつ落下するという視覚的な演出効果も伴う。【００１６】
前述のように流体噴出部を構成する貫通孔が設けられる筒部は、ガラス、プラスチック、樹脂、またはステンレスを含む金属を含む、流体が流下するに耐えうるものであり、かつ注いで流下する流体を飲料として摂取するに十分な安全性を保持する一定の剛性を有する材質であれば特に限定はされないが、限られたスペースに流体噴出部を構成するべく貫通孔を細かく設けるには、例えばレーザ光線を使用して孔を貫通させても良い。【００１７】
また、該筒部は、流体収束部との当接部分から流下する流体がこぼれることなく、水密性が保持されれば、流体受け部と一体型であっても、または嵌合、螺合等によって着脱可能に連結されるものであっても良い。筒部が流体受け部と着脱可能に連結される場合には、その材質として、流体を滞りなく流下させ、かつ流体を一定時間保持するに耐えうる資質を有するものを採用する。この資質を持つものであれば、流体受け部と同一の素材であっても異なる素材であっても良い。また、一定の長さを有する筒部であれば、筒部そのものを複数のパーツに分割し、かつ着脱可能な組立式にしても良い。これによって、本発明が長い筒部を有するデザインであったとしても、流体受け部及び筒部は細部にわたって容易に清掃することが可能となる。【００１８】
さらに第１、第２の第１種基本構成を重畳する場合の接続部は、上記説明では第１と第２の第１種基本構成の流体受け部筒の上下端を嵌合または螺合を含む接続方法によって着脱可能な多段式に構成することが可能となる。これによって、該流体下降装置は、上方からワインを含む流体が注がれると、第１の流体下降装置の流体受け部で流体が保持されて流体収束部を伝って流体噴出筒部に流下し、筒部に配置される流体噴出口から流体が筒部外部に向かって噴出する。噴出される流体は第２の流体下降装置の流体受け部が受け止め、さらに第２の流体下降装置の筒部に流下して同様に流体噴出部から噴出する。【００１９】
上記構成において、第１と第２の接続部を気密構造にした場合、第２の流体受け部が密閉状態となるため、流体の下降が妨げられる。このため流体受け部上方に外気との空気流通口を設けることが好ましい。【００２０】
また、上記説明では第１と第２の第１種基本構成を直に接続したが、第１と第２の第１種基本構成間にその上部と下部が第１種基本構成の上／下部構造と同一構造を有する接続リングによって接続することもできる。この場合、第１種基本構成の流体受け部に空気流通口を設けず、接続リングに空気流通口を設けても良い。【００２１】
上記説明では、接続リングの上／下部構造を第１種基本構成の上／下部構造と同一としたが、第１種基本構成の流体受け部筒の下部にリムを設けない構造とし、接続リングの上／下部内径を第１種基本構成の流体受け部外形より若干大きくし、接続リング内部の上／下部内側の上／下端より離れた位置に張り出しを設けて、第１と第２の第１種基本構成を接続しても良い。また、この構造の接続リングを薄い金属板で構成すればデザイン的にも優れたものとなる。【００２２】
上記の構成によれば、接続部で１つまたは複数の流体下降装置が着脱可能な多段式に構成することによって、ワインを含む流体は流下する際、空気と接する流体表面のみが酸化するのではなく、注ぐ流体全体がまんべんなく空気と触れることで味や香りが十分に増長する。さらに、シャンパンタワーやチョコレートファウンテンのように、大がかりな準備や装置の使用を行わなくても、またパーティなど大勢が参加するイベントだけでなく少人数による食事においても、美しく場を演出する視覚的効果も有する。【００２３】
上述の説明では第１種基本構成を多段に構成したが、よりデザイン的に優れた効果を持たせるため、例えば最上部の基本構成をワイングラスの様に上部を絞り型にしたり、最下部の基本構成の下部を同じくワイングラスの様に細く絞った構造とする等のバリエーションを持たせることもできる。【００２４】
さらに、最下部の基本構成からワイングラスやデキャンターに注がれる部分にワイングラスの上部、あるいはデキャンター等の容器の上部構造に合わせたアダプターを付けても良い。【００２５】
上述の第１種基本構成では筒状の流体受け部から口径を徐々に絞っていく漏斗状の流体収束部、更に流体噴出部へと続く構造としたが、流体受け部の上部から口径を徐々に絞り、流体噴出部へ続く構造とすると、花形にしたり王冠型、優勝カップ型にする等、視覚的、デザイン的に優れたものとした第２種基本構成とすることができる。この場合には上述のような第１種基本構成の多段接続の接続リングに替り、漏斗部分を支持するリングを多段に接続する接続具を用い、接続具の最下段は上述のようなアダプター構造とする。【００２６】
また、上記支持具は、最下段のアダプターによって自立支持するごとくなされているが、各基本構成の支持リングを別のスタンドから支持するがごとく構成しても良い。  【００２７】
更に、流体噴出部の先端を嵌合あるいは螺合として交換可能とした構造にすることにより、流体の種類によって、噴出孔の数や口径を変化させることができる。【００２８】
第３種基本構成は、上部は第２種基本構成とほぼ同様であるが、スタンドを必要とせず多段に構成することを目的とするものであり、上方に広がった漏斗状であり上方から注ぎこむ流体を受ける流体受け部と、前記流体受け部から流体が下方へと流れ込む接続口と、前記流体受け部より下降する流体が通過し、かつ複数の流体噴出孔を有する筒部と、前記筒部に連設され、１つまたは複数の前記流体下降装置と縦方向に連結し、かつ着脱可能な接続部とを具備して構成される。【００２９】
該流体受け部は、上方に十分な口径を有し、なだらかに下方へと流体を導くように口径が小さくなる、ほぼ漏斗型を有していれば、その形は特に限定されるものではない。たとえば花の形、王冠型、優勝カップ型など、視覚的効果をさらに高めるような、美しい装飾が施された形状をしていてもよい。【００３０】
接続口は、流体受け部の下方に設けられ、流体受け部に注がれたワインを含む流体が、筒部へと流れ込む開口部分であり、かつ１つまたは複数の第３種基本構成の接続部を嵌入するための連結部分である。この接続口は、該流体受け部に注がれた流体を滞りなく下方に流下させ、かつ筒部下方に連設される接続部を嵌入して該第３種基本構成を縦方向に安定して連結させるに十分な開口径を有することが好ましい。【００３１】
さらに、第３種基本構成を多段に連結する場合、第１の第３種基本構成の流体受け部で受けた流体は、筒部内部を通過して流体噴出部より噴出して第２の第３種基本構成における流体受け部によって補足される。該流体受け部によって補足された流体は、該流体受け部下方に設けられた接続口に向って移動する。該接続口には、第１の第３種基本構成の接続部が挿入されているが、該接続口に向って流下する流体は第３の第３種基本構成における筒部内部に流入して下方へ移動できるよう、接続する接続口と筒部との間に間隙を有する。【００３２】
筒部は、該流体受け部の接続口に当接し、ワインを含む流体が流体受け部から接続口を通って流下する通路となる。該流体受け部からの流体を滞りなく下方に流下させる形状であれば、その形は特に限定されるものではなく、たとえば真っすぐでなくても装飾として湾曲し、該筒部内を流下する流体の動きを視覚的に楽しめるものであっても良い。材質としては、流体が流下するに耐えうるものであり、かつ注いで流下する流体を飲料として摂取するに十分な安全性を保持するものであれば、特に限定はなく、たとえばガラス、プラスチック、樹脂、またはステンレスを含む金属であってもよい。【００３３】
さらに該筒部は、下方に複数の貫通孔から成る流体噴出部を有する。これによって、流体受け部から流下する流体は筒部を通り、該流体噴出部から外部へと噴出する。流体噴出部を構成する貫通孔は、流体が噴出するのに十分な口径を有しつつ細かく複数設けられることによって、この貫通孔から噴出する際に流体はその流体表面のみでなく、全体的にまんべんなく空気と触れ、適度に酸化させて味と香りを増長させることが可能となり、かつ噴水のように細い流体の線が弧を描きつつ落下するという視覚的な演出効果も伴う。【００３４】
また、該筒部は、該流体受け部との当接部分から流下する流体がこぼれることなく、水密性が保持されれば、該流体受け部と一体型であっても、または嵌合、螺合によって着脱可能に連結されるものであっても良い。筒部が該流体受け部と着脱可能に連結される場合には、その材質として、流体を滞りなく流下させ、かつ流体を一定時間保持するに耐えうるものであれば、該流体受け部と同一の素材であっても異なる素材であっても良い。また、一定の長さを有する筒部であれば、筒部そのものを複数のパーツに分割し、かつ着脱可能な組立式にしても良い。これによって、本発明が長い筒部を有するデザインであったとしても、流体受け部及び筒部は細部にわたって容易に清掃することが可能となる。【００３５】
さらに接続部は、該筒部より連設して配置され、１つまたは複数の該流体下降装置の接続口に、嵌合または螺合を含む接続方法によって着脱可能な多段式に構成することが可能となる。これによって、該流体下降装置は、上方からワインを含む流体が注がれると、第一の第３種基本構成の流体受け部で流体が保持されて筒部に流下し、筒部に配置される流体噴出部から流体が筒部外部に向かって噴出する。噴出される流体は第二の第３種基本構成の流体受け部が受け止め、さらに第二の第３種基本構成の筒部に流下して同様に流体噴出部から噴出する。【００３６】
上記の構成によれば、接続部で１つまたは複数の第３種基本構成が着脱可能な多段式に構成することによって、ワインを含む流体は流下する際、空気と接する流体表面のみが酸化するのではなく、注ぐ流体全体がまんべんなく空気と触れることで味や香りが十分に増長する。
【発明の効果】
【００３７】
本願に係る発明によれば、ワインを含む流体を、ワインボトルまたはデキャンタなどから各人が飲むためのグラス、またはカップ等の容器に移す際に、筒部に複数の貫通孔から構成される流体噴出部を有する多段式かつ着脱可能な流体下降装置を使用してサーブすることによって、高価なワインでなくても全体的にまんべんなく十分空気に触れさせて味をマイルドにし、かつ香りを増長させることが可能となる。従来は流下する流体表面のみが主に空気と触れるに留まるものであったが、本発明における流体下降装置の着脱可能な多段式とする構成によれば、一段式に比べて流体をより多くの空気に触れさせて酸化促進を高める効果だけでなく、流体そのものが多段に構成された流体下降装置を、上方から下方へと噴水のように孤を描きつつ移動するという視覚的に美しい演出効果も実現できる。
【図面の簡単な説明】
【００３８】
【図１】本発明の一実施形態に係る流体下降装置の第１種基本構成を示す斜視図である。
【図２】本発明の一実施形態に係る流体下降装置の第１種基本構成の断面図である。
【図３】本発明の一実施形態に係る流体下降装置の第１種基本構成接続部の断面図である。
【図４】本発明の一実施形態に係る流体下降装置の第１種基本構成接続部空気流通口を示す断面図である。
【図５】本発明の一実施形態に係る流体下降装置の第１種基本構成を接続する接続リングの一実施例の断面図である。
【図６】本発明の一実施形態に係る流体下降装置の第１種基本構成を接続する接続リングの別の実施例の断面図である。
【図７】本発明の一実施形態に係る流体下降装置において、２つの第１種基本構成を接続リングを介して重ねて接続した場合の図である。
【図８】本発明の一実施形態に係る流体下降装置を多段に重ねて構成し、ワイングラス上に設置した場合の全体概略図である。
【図９】本発明の一実施形態に係る流体下降装置において、多段に接続した第１種基本構成の最下部に接続するアダプターの一実施例を示す概略図である。
【図１０】本発明の一実施形態に係る流体下降装置において、多段に接続した第１種基本構成の最下部に接続するアダプターの一実施例を示す断面図である。
【図１１】本発明の一実施形態に係る流体下降装置の第１種基本構成を接続リングを介して多段に重ねて構成し、ワイングラス上に設置した場合の全体概略図である。
【図１２】本発明の一実施形態に係る流体下降装置の第１種基本構成を接続リングを介して多段に重ねて構成し、最上部と最下部の基本構成を変形させワイングラス上に設置した場合の全体概略図である。
【図１３】本発明の一実施形態に係る流体下降装置において、第１種基本構成を流体収束部と流体噴出部からなる花びら型の第１種基本構成とした場合の概略図である。
【図１４】本発明の一実施形態に係る流体下降装置において、図１３の第２種基本構成を多段に重ねて支持する場合の支持具の全体概略図である。
【図１５】本発明の一実施形態に係る流体下降装置において、図１４の支持具の一構成例を示す概略図である。
【図１６】本発明の一実施形態に係る流体下降装置において、第２種基本構成を花びら型とし、図14の支持具を使って多段階に構成し、ワイングラス上に設置した場合の全体概略図である。
【図１７】本発明の一実施形態に係る基本構成において、第２種基本構成を花びら型にし、各第２種基本構成を支持する支持リングを別の支持スタンドから支持する如くし、独特の視覚的効果を有するインテリアとして使用する態様を示した全体概略図である。
【図１８】本発明の一実施形態に係る第２種基本構成を用いた流体下降装置を、視覚的効果を十分に持たせた態様で実施する場合の実施例、製作例を示した図である。
【図１９】本発明の一実施形態に係る第２種基本構成を用いた流体下降装置を視覚的効果を十分に持たせた態様で実施する場合の実施例、製作例を示した図である。
【図２０】本発明の一実施形態に係る第１種基本構成を用いた流体下降装置が複数分を同時にサーブできる場合の全体概要を示す概略図である。
【図２１】本発明の一実施形態に係る第２種基本構成を用いた流体下降装置が循環ポンプを有する受け容器に設置された場合の全体概要を示す概略図である。
【図２２】本発明の一実施形態に係る第１種あるいは第２種基本構成を用いた流体下降装置において、流体受け部と流体噴出部が嵌合または螺合煮よって接続される場合の概略図である。
【図２３】本発明の一実施形態に係る第１種あるいは第２種基本構成を用いた流体下降装置において、流体収束部と流体噴出部が差し込み式あるいはねじ込み式として着脱交換可能である場合の流体受け部を収納する場合の概略図である。
【図２４】本発明の一実施形態に係る流体下降装置の第３種基本構成を示す斜視図である。
【図２５】本発明の一実施形態に係る流体下降装置の第３種基本構成を多段式に構成した際の全体概要を示す斜視図である。
【図２６】本発明の一実施形態に係る流体下降装置の第３種基本構成の接続部の断面図である。
【図２７】本発明の一実施形態に係る流体下降装置の第３種基本構成を多段に構成させ、ワイングラスおよびデキャンタに設置した際の全体概要を示す斜視図である。
【図２８】本発明の一実施形態に係る流体下降装置の第３種基本構成の全体概要を示す概略図である。
【図２９】本発明の一実施形態に係る流体下降装置の第３種基本構成によって複数分を一度にサーブできる場合の全体概要を示す概略図である。
【図３０】本発明の一実施形態に係る流体下降装置の第３種基本構成が循環ポンプを有する受け容器に設置された場合の全体概要を示す概略図である。
【図３１】本発明の一実施形態に係る流体下降装置において、第３種基本構成の流体噴出部を構成する貫通孔に中空パイプが連設された場合の全体概略図である。
【図３２】本発明の一実施形態に係る流体下降装置の第３種基本構成を構成受け具によって流体受け容器に設置される場合の全体概略図である。
【図３３】本発明の一実施形態に係る流体下降装置の第３種基本構成の正面図である。
【図３４】本発明の一実施形態に係る流体下降装置の第３種基本構成を２段重ねた場合の正面図である。
【図３５】本発明の一実施形態に係る流体下降装置において、第３種基本構成の筒部と接続部が一体した中空を成す場合の断面図である。
【図３６】本発明の一実施形態に係る流体下降装置において、第３種基本構成の流体受け部と筒部が螺合または嵌合によって接続される場合の全体概要を示す概略図である。
【図３７】本発明の一実施形態に係る流体下降装置において、第３種基本構成の流体受け部と筒部が差し込み式、またはねじ込み式として着脱可能である場合の流体受け部を収納する場合の概略図である。
【図３８】本発明の一実施形態に係る流体下降装置において、第３種基本構成の流体噴出部が配置箇所より下方の筒部が閉じられたソリッドとなる場合の全体概要を示す断面図である。
【図３９】本発明の一実施形態に係る流体下降装置の第３種基本構成を花びら型にして多段階に構成し、これにワインを注ぐような態様を示す概念的斜視図である。
【図４０】本発明の一実施形態に係る流体下降装置の第３種基本構成を花びらにして多段階に構成したものをデキャンタに入れて、卓上で眺めて楽しむ対象たるインテリアとして用いる態様を示す概念的斜視図である。
【図４１】本発明の一実施形態に係る花びら型の第３種基本構成を一つごとにアームで吊下げ、これを多段階構成とすることによって独特の視覚的効果を有するインテリアとして使用する態様を示す概念的斜視図である。
【図４２】本願に係る第３種基本構成を視覚的効果を十分に持たせた態様で実施する場合の実施例、製作例を示した図である。
【図４３】本願に係る第３種基本構成を視覚的効果を十分に持たせた態様で実施する場合の実施例、製作例を示した図である。
【発明を実施するための形態】
【００３９】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００４０】
図１は本発明の一実施形態に係る流体下降装置の第１種基本構成１の概要を示す斜視図であり、図２は本発明の一実施形態に係る流体下降装置の第１種基本構成１の断面図である。同図に示すように、本発明の流体下降装置の第１種基本構成１は、ワイン等の流体を注げるよう上部が開いた流体受け部２と、該流体受け部２の底部はなだらかに流体を下方に導くよう口径が小さくなるほぼ漏斗型の流体収束部３とその下部の底が閉じられた筒状部の横に複数細い貫通孔５とを備えた流体噴出部４にて構成されている。
【００４１】
ボトル、デキャンタ等から注がれたワインを含む流体は、まず流体受け部２で受けられる。上記流体は上部から下部に行くに従って口径が小さくなる漏斗状の流体収束部３を経由して流体噴出部４に導かれる。流体噴出部４に流下された流体は貫通孔５より外部に向かってシャワー状に噴出する。
【００４２】
第１種基本構成１は、流体受け部２から流体噴出部４まで中空状であり、該流体噴出部４より下方は塞がれていて、流体受け部２より流下された流体の全量が、流体噴出部５から噴出されるように構成される。
【００４３】
図３は、本発明の一実施形態に係る流体下降装置の第１種基本構成１を上下に重ねて構成した概要を示す断面図である。第１種基本構成１の流体受け部２の下部には、流体受け部２の内径に等しいリム６が突出しているため、別の第１種基本構成１と重ねた場合、水密に嵌合して接続するようなされている。
【００４４】
図４は、第１種基本構成１を多段に重ねた場合、流体受け部２が気密になるのを防ぐため空気流通口７をその上部に設けたことを示す断面図である。かくの如くすることにより流体はスムースに下降することができる。
【００４５】
図５は、第１種基本構成１を多段に重ねる場合、上下の第１種基本構成１を接続するための接続リング８の断面図である。接続リング８の上／下部は、基本構成１の流体受け部２の上／下部と同一構造であるので上下の第１種基本構成を水密に嵌合して接続することができる。また、このリング壁に空気流通口７を設けても良い。この場合は、第１種基本構成１の流体受け部２の空気流通口７を省略することができる。
【００４６】
図６は、上記接続リング８の別の実施例を示す断面図である。この例では、リングの上／下の内径は第１種基本構成１の流体受け部２の外径に等しく、リング内側には帯状の突起を設けてある。このため、上下の第１種基本構成１の流体受け部２はそれ以上は陥入せずに固定され、安定した多段構成が可能となり、図５の接続リングと同様、第１種基本構成１を上下に嵌合接続することができる。なお、接続リング８の形状は、第１種基本構成１を多段に組み合わせる際に、確実に固定でき、かつ安全に着脱可能であれば、図５、図６の接続リングに限定されるものではない。
【００４７】
図７は、本発明の一実施形態に係る流体下降装置の第１種基本構成１を、図５に示す接続リング８を用いて上下に構成した場合の概要を示す断面図であり、これによって、流体下降装置の第１種基本構成１を流下するワインを含む流体Ｗは、第１種基本構成１内に残留することがないため、流体下降装置の第１種基本構成１を流下する流体Ｗは、常に新しく注がれて、かつその時に最も良い状態でサーブされることが可能となる。
【００４８】
図８は、本発明の一実施形態に係る流体下降装置の第１種基本構成１を多段式に構成してワイングラス９上に設置した概要図である。図８に示すように、該第１種基本構成１は、１つまたは複数の第１種基本構成を多段に組み合わせて流体下降装置として構成することが可能である。このような多段構成によって、該流体下降装置は、長い経路にわたって流体を流下させることによってより多くの空気と馴染ませ触れさせることによって味と香りを増長させ、かつ最上段から下段へと流体がシャワー状に噴出しつつ移動する様は食事やパーティの雰囲気を盛り上げる高い視覚的効果を実現する。本発明における流体下降装置は、ワイングラスやデキャンタの上に乗せる程度の大きさに限定されず、第１種基本構成受け具を設置して様々な形の受け容器に配置可能としても良い。
【００４９】
図９は、本発明の一実施形態に係る流体下降装置をワイングラス９上に設置する場合、より安定に設置するためのアダプター１０の斜視図、図１０は該アダプターの１０の断面図である。アダプター１０の上部は、第１種基本構成１の流体受け部２の上部と同構造のリング状であり、リング底面には第１種基本構成１の流体噴出部４が突出できる口径の開口１１が開けられている。
【００５０】
図１１は、本発明の一実施形態に係る流体下降装置の第１種基本構成１を接続リング８を用いて多段に接続し、上記アダプター１０を最下段に付加してワイングラス９上に設置した概要図である。
【００５１】
図１２は、本発明の一実施形態に係る流体下降装置を構成する場合、全体デザインを重視して、最上段の第１種基本構成１は、第１種基本構成１の流体受け部２の上部をワイングラス上部のように上方に絞った形２１とし、最下段の第１種基本構成１は第１種基本構成１の下方を絞った形状２２とする構成をとった場合の模式的断面図である。この場合、さらに、ワイングラス上に設置するアダプター１０は最下段の第１種基本構成１に適合した形状２３とする。このようなデザイン的に優れた多段構成によって、該流体下降装置は、長い経路にわたって流体を流下させることによってより多くの空気と馴染ませ触れさせることによって味と香りを増長させる一方、最上段から下段へと流体がシャワー状に噴出しつつ移動する様は、食事やパーティの雰囲気をさらに一段と盛り上げる高い視覚的効果を実現する
【００５２】
図１３は、無機的なデザイン感を演出するため、幾何学的断面を有する形態（上部に開いたラッパ状の第２種基本構成３０の概略図である。このように基本構成をラッパ状の第２種基本構成３０にすると、第１種基本構成１を重ねて接続した場合の接続リング８の形状を変更しなければならない。
【００５３】
図１４は、上記第２種基本構成３０を多段に接続する場合の接続具３１（図示せず）の概要図である。接続具３１は、基本構成１の中間を支持する支持リング３２と支持リング３２に設けられた接続パイプ３４と、支持リング３２同士を接続する金属線等より構成される支持柱３３及びワイングラスやデキャンター上に設置するためのアダプター３５（図１５参照）から構成されている。支持柱３３の下部は花びら状第２種基本構成３０（花びら状の形状については後述する）の上部に妨害とならないよう屈曲してある。また、アダプター３５は、ワイングラスの口径より大きな円盤状で中心部には第２種基本構成３０の流体噴出部が突出できるような口径の開口がある。該アダプターの上部には支持リング３２と同位置に支持柱を受ける複数のパイプ３４が設置されている。最下段の支持柱３６は直線で良い。
【００５４】
図１５は、接続具３１を構成する支持リング３２と支持柱３３の接続部の詳細図である。支持柱３３は支持リング３２の外周１２０度ごとに取り付けられたパイプに差し込まれる。このように支持リング３２と支持柱３３によって多段の接続具３１を構成することができる。接続リング３２と支持柱３３をパイプによって接続したが、確実に固定でき、且つ安全に着脱可能であれば、これらに限定されるものではない。
【００５５】
図１６は、本発明の一実施形態に係る流体下降装置の第２種基本構成３０を接続具３１を用いて多段に接続し、アダプター３５を最下段に付加してワイングラス上に設置した概要図である。このように多段に構成することによって、最上段の第２種基本構成３０で受けたワイン等の流体は流体噴出部４から噴出され、流体噴出部から噴出した流体は、次段の第２種基本構成３０で受けられ、同様にその流体噴出部から更に次段の第２種基本構成３０で受けられ、最終的にワイングラスやカップ、またはデキャンタなどを含む容器にサーブされる。本発明における流体下降装置は、ワイングラスやデキャンタの上に乗せる程度の大きさに限定されず、基本構成受け具を設置して様々な形の受け容器に配置可能としても良い。
【００５６】
図１７，１８，１９は、第２種基本構成３０を支える支持リングを外部のスタンドによって支持した場合の本発明の一実施形態における流体下降装置における接続部の断面図である。これらの場合には、更にデザイン性を考慮して第２種基本構成３０の流体受け部２と流体収束部３を一体化して花びら状にし、その下部に流体噴出部４を設けた花びら状第２種基本構成３０として実現される。このように基本構成を花びら状とすることで、各図に示すように、独特の視覚的効果を有するインテリアとして使用することも可能である。
【００５７】
図２０は、本発明の一実施形態に係る第１種基本構成を用いた流体下降装置が、複数人数分を一度にサーブできる場合の全体概要を示す概略図である。多くの人が参加するイベントでは、複数の人に同時にサーブできるよう、該流体下降装置を大きな容器に設置し、個々の人が自分でサーブする行為そのものをイベントの楽しい演出としてもよい。
【００５８】
図２１は、本発明の一実施形態に係る第２種基本構成を用いた流体下降装置が循環ポンプを有する受け容器に設置された場合の全体概要を示す概略図である。かかる構成により、最上段に設置された流体下降装置に注がれる流体は、さらに下段の流体下降装置へ、各流体噴出部より噴出しつつ流下するが、最下段の流体下降装置より噴出された流体は、図示されるように受け容器７によって一旦保持され、受け容器７の側面に設置された循環ポンプ８より上方へ流体が移動されてポンプ排出口９より再び最上段の流体下降装置における流体受け部へと注がれる。
【００５９】
図２２、２３は、本発明の一実施形態に係る流体下降装置において、基本構成の流体受け部と筒部が差し込み式、またはねじ込み式として着脱可能である場合の流体受け部を収納する場合の概略図である。これによって、流体受け部２を重ねて保管して置くことができるので保管スペースを少なくすることができ、かつ使用後の洗浄にも便利である。
【００６０】
ここで、図１８及び図１９の説明に戻る。同両図は、本願に係る流体下降装置を視覚的効果を十分に持たせた態様で実施する場合の実施例、製作例を示した図である。同両図に示されるように、寸法のとり方によって、独特の視覚的効果を生み出すことができるため、飲料を飲む用途のみならず、宣伝的用途においても、十分本願を利用することができる。
【００６１】
図２４は本発明の一実施形態に係る流体下降装置の第３種基本構成の全体概要を示す斜視図であり、図３４は本発明の一実施形態に係る流体下降装置の第３種基本構成の正面図である。同図に示すように、本発明の流体下降装置の第３種基本構成５１は、上部が広く開いた漏斗状の流体受け部５２と、該流体受け部の下部に配置される接続口５３と、該接続口に連設され、該流体受け部より流下される流体が通る筒部５４と、該筒部に設けられる複数の細い貫通孔５０１によって構成される流体噴出部５５と、および該筒部に連設される筒状の接続部５６とを備えて構成される。
【００６２】
ボトル、デキャンタ等から注がれたワインを含む流体は、まず流体受け部５２で受けられる。流体受け部５２は上部から下部に行くに従って口径が小さくなる漏斗状になっており、ここで受けた流体は該流体受け部５２の下方に配置された接続口５３より筒部５４に向かって流下される。
【００６３】
接続口５３は、流体受け部５２で受けた流体を滞ることなく筒部５４へと導くのに充分な口径を有する。該接続口５３から連設された筒部５４には、複数の細い貫通孔５０１からなる流体噴出部５５が設けられ、流体受け部５２から接続口５３を経由して筒部５４に流下された流体は該流体噴出部５５の貫通孔５０１より筒部５４外部に向かってシャワー状に噴出する。
【００６４】
筒部５４は、流体を噴出する複数の細い貫通孔５０１よりなる流体噴出部５５までは中空状であり、該流体噴出部５５より下方は塞がれていて、流体受け部５２より流下された流体の全量が、流体噴出部５５から噴出されるように構成される。これによって、流体下降装置の第３種基本構成５１を流下するワインを含む流体は、筒部４内下方に残留することがないため、流体下降装置の第３種基本構成５１を流下する流体は、常に新しく注がれて、かつその時に最も良い状態でサーブされることが可能となる。
【００６５】
筒部５４に連設される接続部５６は、中空またはソリッドの筒型で、下方に行くに従って先端が細くなっており、流体噴出部５５の内径より小さくなっているとともにその筒外形は流体受け部５２の内形とは異なっている。
【００６６】
図２５は、本発明の一実施形態に係る流体下降装置の第３種基本構成を多段式に構成した際の全体概要を示す斜視図である。また、図２７は、本発明の一実施形態に係る流体下降装置を多段に組み合わせてワイングラス、またはデキャンタに設置した図である。図２５に示すように、該流体下降装置の第３種基本構成は、１つまたは複数のと多段式に組み合わせて構成することが可能である。流体下降装置の第３種基本構成１０１の接続部６０１は、流体下降装置の第３種基本構成１０２の接続口３０２に水密に嵌合されて接続される。接続部６０１は筒型をなすが、その口径は接続口３０２に無理なく嵌合されるものの接続部６０１に連設する筒部４０１の口径より小さく、そのため接続口３０２に挿入されるのは接続部６０１のみで、接続口３０２の口径より筒部４０１の口径が大きいため、それ以上は陥入せずに固定され、安定した多段構成が可能となる。
【００６７】
このように多段に構成することによって、流体下降装置１０１の流体受け部２０１で受けた流体は筒部４０１を通って流体噴出部５０１から噴出される。噴出された流体は流体下降装置１０１の下段として組み合わせて構成された流体下降装置１０２の流体受け部２０２で受けられ、同様に筒部４０２を流下して流体噴出部５０２から外部に向かって噴出されて、最後にワイングラスやカップ、またはデキャンタなどを含む容器にサーブされる。
【００６８】
上記のような構成は、図２７に示すように複数の流体下降装置の第３種基本構成を縦方向へ同様に接続し組み合わせることによって、さらに多段に重ねて構成することが可能となる。このような多段構成によって、該流体下降装置は、長い経路にわたって流体を流下させることによってより多くの空気と馴染ませ触れさせることによって味と香りを増長させ、かつ最上段から下段へと流体がシャワー状に噴出しつつ移動する様は食事やパーティの雰囲気を盛り上げる高い視覚的効果を実現する。
【００６９】
さらに図２６は、本発明の一実施形態における流体下降装置の第３種基本構成における接続部の断面図である。図２６は、筒状をなす流体噴出部５５の外形が円形で、接続部５６が円柱の４方向に窪みを有する形状をなす場合と、三角柱状を成す場合を示す。接続部５６の形状は、該流体下降装置の第３種基本構成５１を、接続口５３に接続部５６を嵌合して接続して多段に組み合わせる際に、確実に固定でき、かつ安全に着脱可能であれば、これらに限定されるものではない。
【００７０】
また図３３は、流体噴出部５５の内形と接続部５６の外形が円形であり、かつ接続部５６の外形に流体が流れるように窪みが設けられた例である。このような形状では、複数の第３種基本構成１０１及び１０２を重ねた場合、流体下降装置１０１の流体受け部２０１と流体噴出部５０１の接続部６０１に流体下降装置１０２の接続口３０２がしっかり嵌合する。
【００７１】
かかる構成によれば、流体下降装置１０１の流体受け部２０１にワインのような流体を注いだ場合、流体は流体受け部２０１から接続口３０１を経由して筒部４０１に導かれ、細い貫通孔５０１より構成される流体噴出部５５から図示のように周囲にシャワー状に噴出し、噴出された流体は流体下降装置１０２の流体受け部２０２に捕捉されて筒部４０２より流下して接続口３０２に導かれるが、流体下降装置１０１の筒部４０１が接続するこの部分は、筒部４０１の形状が図３の如く構成されているため、流体は円形と三角形または窪みの隙間を通って流体噴出部５０２下部に流れ込み、流体下降装置１０２の筒部４０２に設けられた流体噴出部５０２の貫通孔から周囲に噴出する。
【００７２】
筒部５４の内形と接続部５６の外形は、上記のような形状に限定されず、流体噴出部を有する筒部５４及び接続部５６を接続した際に、さらに下段の流体下降装置における筒部５４内筒部５４と接続部５６との間に流体が通過できる間隙ができれば良い。
【００７３】
図２９は、本発明の一実施形態に係る流体下降装置が、複数分を一度にサーブできる場合の全体概要を示す概略図である。多くの人が参加するイベントでは、複数の人に同時にサーブできるよう、該流体下降装置を大きな容器に設置し、個々の人が自分でサーブする行為そのものをイベントの楽しい演出としてもよい。
【００７４】
図３０は、本発明の一実施形態に係る流体下降装置が循環ポンプを有する受け容器に設置された場合の全体概要を示す概略図である。かかる構成により、最上段に設置された流体下降装置に注がれる流体は、さらに下段の流体下降装置へ、各流体噴出部より噴出しつつ流下するが、最下段の流体下降装置より噴出された流体は、図示されるように受け容器７によって一旦保持され、受け容器７の側面に設置された循環ポンプ６８より上方へ流体が移動されてポンプ排出口６９より再び最上段の流体下降装置における流体受け部へと注がれる。
【００７５】
かかる構成により、ワインを含む流体は、常に循環して流体下降装置を移動するため、多くの空気に触れることが可能となり、また常に流体のシャワーを見て楽しむ視覚的効果も実現できる。また、ワインを含む流体の香りをより広範囲で楽しむことが可能となる。このようにすればジュースのような流体宣伝の店頭ディスプレイとしても応用できる。
【００７６】
また、流体の例として主にワインを挙げて説明したが、ウイスキーや日本酒、焼酎等の酒類、ジュースや清涼飲料水、さらには溶解チョコレートのような流体にも使用可能である。
【００７７】
さらに、基本構成の材質としては、ガラスやプラスチック、アクリルやスチレン、エポキシ、またはポリカーボネートのような樹脂や金属、または陶磁器、セラミックなどでもよい。また、上記樹脂材料として温度によって本体の色が変化する素材を使用すれば、例えば冷却された流体が下降するにつれて本体の色が変化し、より視覚的な装飾効果を高めることができる。
【００７８】
このように本発明によれば、多人数が参加する大きなイベントでも、少人数による日常の食事でも、ワインを含む流体をサーブする際、何ら熟練や経験を必要とせず手軽に、本発明に係る流体下降装置を縦方向に多段に構成することによって、流体を空気とまんべんなく触れさせて馴染ませてさらに美味しく、さらに香りを向上させることを可能にし、かつ、多段にわたって流体がシャワー状に噴出することで高い視覚的な演出効果も簡単に実現できる。
【００７９】
上述した実施例は、本発明に係る技術思想を具現化するための実施形態の一例を示したにすぎないものであり、他の実施形態でも本発明に係る技術思想を適用することが可能である。たとえば、上記においては、本願に係る技術的思想をワインやジュース等の飲料をサーブする用途を主に説明したが、本願に係る技術的思想はこれ以外にも、空気と混在させることで一定の効果がある分野において用いることができる。たとえば、工業上、一定の液体を多段階にわたって空気に触れさせた後に別の化合物と混合する場合などに用いることが可能である。さらに、本下降装置を流下する媒体としては液体に限られることなく、粒体でもよく、一定の流動性を備えた材質であればよい。
【００８０】
さらにまた、本発明を用いて生産される装置、方法、システムが、その２次的生産品に搭載されて商品化された場合であっても、本発明の価値は何ら減ずるものではない。
【産業上の利用可能性】
【００８１】
上述したように、本願に係る発明によれば、ワインを含む流体を、ワインボトルまたはデキャンタなどから各人が飲むためのグラス、またはカップ等の容器に移す際に、多段式かつ着脱可能な流体下降装置を使用してサーブすることによって、流体全体をまんべんなく十分な空気に触れさせて味をマイルドにし、かつ香りを増長させることが可能となる。【００８２】
したがって、本発明は、ワインなどの飲料を含む流体を上方から下方へと下降させる装置として、飲食業、イベント業、観光業、広告業など、味覚だけでなく視覚による効果を有効とする各種産業に対して大きな有益性をもたらすものである。
【符号の説明】
【００８３】
１…流体下降装置第１種基本構成、２…流体受け部、３…流体収束部、４…筒流体噴出部、５…流体噴出孔、６…リム、７…空気流通口、８…接続リング、９…ワイングラス、１０…アダプター、１０…アダプター、１１…穴、２１…上部基本構成、２２…下部基本構成、２３…別形状のアダプター、３０…第２種基本構成、３１…接続具、３２…支持リング、３３…支持柱、３４…接続パイプ、３５…更に別形状のアダプター、３６…直線状接続柱、３７…支持スタンド、５１…流体下降装置、５２…流体受け部、５３…接続口、５４…筒部、５５…流体噴出部、５６…接続部、１０１…流体下降装置、２０１…流体受け部、３０１…接続口、４０１…筒部、５０１…流体噴出部、６０１…接続部、１０２…流体下降装置、２０２…流体受け部、３０２…接続口、４０２…筒部、５０２…流体噴出部、６０２…接続部、６７…受け容器、６６８…循環ポンプ、６９…ポンプ排出口、７０…構成受け具
【図２４】
2011118086.tif 000003
【図２５】
2011118086.tif 000004
【図２６】
2011118086.tif 000005
【図２７】
2011118086.tif 000006
【図２８】
2011118086.tif 000007
【図２９】
2011118086.tif 000008
【図３０】
2011118086.tif 000009
【図３１】
2011118086.tif 000010
【図３２】
2011118086.tif 000011
【図３３】
2011118086.tif 000012
【図３４】
2011118086.tif 000013
【図３５】
2011118086.tif 000014
【図３６】
2011118086.tif 000015
【図３７】
2011118086.tif 000016
【図３８】
2011118086.tif 000017
【図３９】
2011118086.tif 000018
【図４０】
2011118086.tif 000019
【図４１】
2011118086.tif 000020
【図１】
2011118086.tif 000021
【図２】
2011118086.tif 000022
【図３】
2011118086.tif 000023
【図４】
2011118086.tif 000024
【図５】
2011118086.tif 000025
【図６】
2011118086.tif 000026
【図７】
2011118086.tif 000027
【図８】
2011118086.tif 000028
【図９】
2011118086.tif 000029
【図１０】
2011118086.tif 000030
【図１１】
2011118086.tif 000031
【図１２】
2011118086.tif 000032
【図１３】
2011118086.tif 000033
【図１４】
2011118086.tif 000034
【図１５】
2011118086.tif 000035
【図１６】
2011118086.tif 000036
【図１７】
2011118086.tif 000037
【図１８】
2011118086.tif 000038
【図１９】
2011118086.tif 000039
【図２０】
2011118086.tif 000040
【図２１】
2011118086.tif 000041
【図２２】
2011118086.tif 000042
【図２３】
2011118086.tif 000043
【図４２】
2011118086.tif 000044
【図４３】
2011118086.tif 000045
【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
注ぎこまれた流体を受ける流体受け部と、
前記流体受け部の下方に連設された漏斗状の流体収束部と、
前記流体収束部の下部に連設され、かつ前記流体を噴出するための複数の流体噴出孔を有する流体噴出部を備えたことを特徴とする流体下降装置。
【請求項２】
請求項１に記載の流体下降装置において、さらに前記流体受け部の上端に接続された接続リングを有することを特徴とする流体下降装置。
【請求項３】
前記流体受け部の下端部と前記流体収束部との連設部の外周が、前記流体受け部の上端部の内周面または前記接続リングの上端部の内周面に嵌合可能に形成されて、
一の流体下降装置の前記連設部を、
他の流体下降装置が有する前記流体受け部の上端部の内周面または他の流体下降装置に接続された前記接続リングの上端部の内周面に嵌合させて、
これら流体下降装置を積み重ね、
前記一の流体下降装置の前記流体噴出孔から噴出された前記流体を前記他の流体下降装置に注ぎ込むことができることを特徴とする請求項１または２に記載の流体下降装置。
【請求項４】
請求項３に記載の流体下降装置において、
少なくとも前記他がその流体下降装置の前記流体受け部、
または前記接続リングが空気流通口を有することを特徴とする流体下降装置。
【請求項５】
注ぎこまれた流体を受ける漏斗状の流体収束部と、
前記流体収束部の下部に連設され、かつ前記流体を噴出するための複数の流体噴出孔を有する流体噴出部を備えたことを特徴とする流体下降装置。
【請求項６】
前記流体噴出部は、中空状でかつ下端を塞ぐ底部を有し、前記複数の流体噴出孔が前記底部に連設した前記流体噴出部の周面に穿設されて、前記流体収束部から流下した前記流体の全量を噴出することができる請求項１または５に記載の流体下降装置。
【請求項７】
前記流体噴出部と流体収束部とが着脱可能に連結されたことを特徴とする請求項１、５または６の何れかに記載の流体下降装置。
【請求項８】
請求項１、５または６の何れかに記載の流体下降装置が有する流体収束部を支持することができる１または複数の支持部を有し、
これら支持部を支持する支持柱と、
前記支持部及び前記支持柱を支える基部を有して、
前記流体下降装置を１または複数支持することができ、
複数の前記流体下降装置を支持する場合には、
上方に位置する前記流体下降装置の前記複数の流体噴出孔から噴出された前記流体が下方に位置する前記流体下降装置に流下することを特徴とする流体下降装置の支持具。
【請求項９】
注ぎこまれた流体を受ける漏斗型の流体受け部と、
前記流体受け部に注ぎこまれた流体を流下させる接続口と、
前記接続口を流下した前記流体を、その内部を通過させ、更に外部へと噴出するための複数の貫通孔を有した筒部と、
前記筒部の下方に連接され、かつ前記接続口の口径よりも小さい径を有する部分を有する接続部を有することを特徴とする流体下降装置。
【請求項１０】
前記筒部が前記接続口の口径より大きい径を有して、一の流体下降装置の前記接続部を他の流体下降装置の前記接続口に挿入することで、
前記一の流体下降装置を前記他の流体下降装置に重ねて接続できることを特徴とする請求項９に記載の流体下降装置。
【請求項１１】
前記接続部は、その外周面にその長手方向に形成された窪みを有して、または前記接続口に内接する多角形状の断面形状を有して、前記接続口に挿入されたときには、
前記接続部は、その外周面と前記接続口との間に間隙を形成して、
前記一の流体下降装置の前記複数の貫通孔から噴出して、前記他の流体下降装置の前記流体受け部に流下した前記流体を前記他の流体下降装置の筒部へと流下させることができることを特徴とする請求項１０に記載の流体下降装置。
【請求項１２】
前記筒部は、下端を塞ぐ底部を有し、前記複数の貫通孔が前記底部に連設した前記筒部の周面に穿設されて、前記接続口から流下した前記流体の全量を噴出することができる請求項９ないし１１のいずれかに記載の流体下降装置。
【手続補正３】
【補正対象書類名】明細書
【補正対象項目名】０００１
【補正方法】変更
【補正の内容】
【０００１】
本発明は、ワインやジュースのような流体（飲食物に限定されない）をグラス等に注ぐ場合の流体下降装置に関する。
【手続補正４】
【補正対象書類名】明細書
【補正対象項目名】００１４
【補正方法】変更
【補正の内容】
【００１４】
上記流体受け部は、上方に十分な口径を有した筒型で、その底部はなだらかに下方へと流体を導くように口径が小さくなる、ほぼ漏斗型の流体収束部を有しており、その形は特に限定されるものではない。たとえば花の形、王冠型、優勝カップ型など、視覚的効果をさらに高めるような、美しい装飾が施された形状をしていてもよい。また、流体を受け、かつ一定時間保持していても形態保持性を担保すべく、一定の剛性及び一定以上の厚みを有して形成される。材質としては、流体の保持に耐えうるものであり、かつ注いで流下する流体を飲料として摂取するに十分な安全性を保持するものであれば、特に限定はなく、たとえばガラス、セラミック、プラスチック、樹脂、またはステンレスを含む金属であってもよい。厚みとしては、該流体下降装置を載せるグラス、カップ等の容器に対する重量による変形や破壊を防止しつつ流体保持性を害しないものであれば、特に限定はない。それぞれの材質を選択することにより、独特の演出効果が期待される。たとえば、本発明に係る流体下降装置をガラス製で透明なものとした場合には、他（たとえば金属製）のものにはない透明感、清涼感等を醸し出す演出が可能となる。
【手続補正５】
【補正対象書類名】明細書
【補正対象項目名】００３７
【補正方法】変更
【補正の内容】
【００３７】
本発明に係る発明によれば、ワインを含む流体を、ワインボトルまたはデキャンタなどから各人が飲むためのグラス、またはカップ等の容器に移す際に、筒部に複数の貫通孔から構成される流体噴出部を有する多段式かつ着脱可能な流体下降装置を使用してサーブすることによって、高価なワインでなくても全体的にまんべんなく十分空気に触れさせて味をマイルドにし、かつ香りを増長させることが可能となる。従来は流下する流体表面のみが主に空気と触れるに留まるものであったが、本発明における流体下降装置の着脱可能な多段式とする構成によれば、一段式に比べて流体をより多くの空気に触れさせて酸化促進を高める効果だけでなく、流体そのものが多段に構成された流体下降装置を、上方から下方へと噴水のように孤を描きつつ移動するという視覚的に美しい演出効果も実現できる。
【手続補正６】
【補正対象書類名】明細書
【補正対象項目名】００３８
【補正方法】変更
【補正の内容】
【００３８】
【図１】本発明の一実施形態に係る流体下降装置の第１種基本構成を示す斜視図である。
【図２】本発明の一実施形態に係る流体下降装置の第１種基本構成の断面図である。
【図３】本発明の一実施形態に係る流体下降装置の第１種基本構成接続部の断面図である。
【図４】本発明の一実施形態に係る流体下降装置の第１種基本構成接続部空気流通口を示す断面図である。
【図５】本発明の一実施形態に係る流体下降装置の第１種基本構成を接続する接続リングの一実施例の断面図である。
【図６】本発明の一実施形態に係る流体下降装置の第１種基本構成を接続する接続リングの別の実施例の断面図である。
【図７】本発明の一実施形態に係る流体下降装置において、２つの第１種基本構成を接続リングを介して重ねて接続した場合の図である。
【図８】本発明の一実施形態に係る流体下降装置を多段に重ねて構成し、ワイングラス上に設置した場合の全体概略図である。
【図９】本発明の一実施形態に係る流体下降装置において、多段に接続した第１種基本構成の最下部に接続するアダプターの一実施例を示す概略図である。
【図１０】本発明の一実施形態に係る流体下降装置において、多段に接続した第１種基本構成の最下部に接続するアダプターの一実施例を示す断面図である。
【図１１】本発明の一実施形態に係る流体下降装置の第１種基本構成を接続リングを介して多段に重ねて構成し、ワイングラス上に設置した場合の全体概略図である。
【図１２】本発明の一実施形態に係る流体下降装置の第１種基本構成を接続リングを介して多段に重ねて構成し、最上部と最下部の基本構成を変形させワイングラス上に設置した場合の全体概略図である。
【図１３】本発明の一実施形態に係る流体下降装置において、第１種基本構成を流体収束部と流体噴出部からなるラッパ状の第２種基本構成とした場合の概略図である。
【図１４】本発明の一実施形態に係る流体下降装置において、図１３の第２種基本構成を多段に重ねて支持する場合の支持具の全体概略図である。
【図１５】本発明の一実施形態に係る流体下降装置において、図１４の支持具の一構成例を示す概略図である。
【図１６】本発明の一実施形態に係る流体下降装置において、第２種基本構成をラッパ状とし、図１４の支持具を使って多段階に構成し、ワイングラス上に設置した場合の全体概略図である。
【図１７】本発明の一実施形態に係る基本構成において、第２種基本構成を花びら型にし、各第２種基本構成を支持する支持リングを別の支持スタンドから支持する如くし、独特の視覚的効果を有するインテリアとして使用する態様を示した全体概略図である。
【図１８】本発明の一実施形態に係る第２種基本構成を用いた流体下降装置を、視覚的効果を十分に持たせた態様で実施する場合の実施例、製作例を示した図である。
【図１９】本発明の一実施形態に係る第２種基本構成を用いた流体下降装置を視覚的効果を十分に持たせた態様で実施する場合の実施例、製作例を示した図である。
【図２０】本発明の一実施形態に係る第１種基本構成を用いた流体下降装置が複数分を同時にサーブできる場合の全体概要を示す概略図である。
【図２１】本発明の一実施形態に係る第２種基本構成を用いた流体下降装置が循環ポンプを有する受け容器に設置された場合の全体概要を示す概略図である。
【図２２】本発明の一実施形態に係る第１種あるいは第２種基本構成を用いた流体下降装置において、流体受け部と流体噴出部が嵌合または螺合によって接続される場合の概略図である。
【図２３】本発明の一実施形態に係る第１種あるいは第２種基本構成を用いた流体下降装置において、流体収束部と流体噴出部が差し込み式あるいはねじ込み式として着脱交換可能である場合の流体受け部を収納する場合の概略図である。
【図２４】本発明の一実施形態に係る流体下降装置の第３種基本構成を示す斜視図である。
【図２５】本発明の一実施形態に係る流体下降装置の第３種基本構成を多段式に構成した際の全体概要を示す斜視図である。
【図２６】本発明の一実施形態に係る流体下降装置の第３種基本構成の接続部の断面図である。
【図２７】本発明の一実施形態に係る流体下降装置の第３種基本構成を多段に構成させ、ワイングラスおよびデキャンタに設置した際の全体概要を示す斜視図である。
【図２８】本発明の一実施形態に係る流体下降装置の第３種基本構成を花びら型とした場合の全体概要を示す概略図である。
【図２９】本発明の一実施形態に係る流体下降装置の第３種基本構成によって複数分を一度にサーブできる場合の全体概要を示す概略図である。
【図３０】本発明の一実施形態に係る流体下降装置の第３種基本構成が循環ポンプを有する受け容器に設置された場合の全体概要を示す概略図である。
【図３１】本発明の一実施形態に係る流体下降装置において、第３種基本構成の流体噴出部を構成する貫通孔に中空パイプが連設された場合の全体概略図である。
【図３２】本発明の一実施形態に係る流体下降装置の第３種基本構成を構成受け具によって流体受け容器に設置される場合の全体概略図である。
【図３３】本発明の一実施形態に係る流体下降装置の第３種基本構成の正面図である。
【図３４】本発明の一実施形態に係る流体下降装置の第３種基本構成を２段重ねた場合の正面図である。
【図３５】本発明の一実施形態に係る流体下降装置において、第３種基本構成の筒部と接続部が一体した中空を成す場合の断面図である。
【図３６】本発明の一実施形態に係る流体下降装置において、第３種基本構成の流体受け部と筒部が螺合または嵌合によって接続される場合の全体概要を示す概略図である。
【図３７】本発明の一実施形態に係る流体下降装置において、第３種基本構成の流体受け部と筒部が差し込み式、またはねじ込み式として着脱可能である場合の流体受け部を収納する場合の概略図である。
【図３８】本発明の一実施形態に係る流体下降装置において、第３種基本構成の流体噴出部が配置箇所より下方の筒部が閉じられたソリッドとなる場合の全体概要を示す断面図である。
【図３９】本発明の一実施形態に係る流体下降装置の第３種基本構成を花びら型にして多段階に構成し、これにワインを注ぐような態様を示す概念的斜視図である。
【図４０】本発明の一実施形態に係る流体下降装置の第３種基本構成を花びらにして多段階に構成したものをデキャンタに入れて、卓上で眺めて楽しむ対象たるインテリアとして用いる態様を示す概念的斜視図である。
【図４１】本発明の一実施形態に係る花びら型の第３種基本構成を一つごとにアームで吊下げ、これを多段階構成とすることによって独特の視覚的効果を有するインテリアとして使用する態様を示す概念的斜視図である。
【図４２】本発明に係る第３種基本構成を視覚的効果を十分に持たせた態様で実施する場合の実施例、製作例を示した図である。
【図４３】本発明に係る第３種基本構成を視覚的効果を十分に持たせた態様で実施する場合の実施例、製作例を示した図である。
【手続補正７】
【補正対象書類名】明細書
【補正対象項目名】００４０
【補正方法】変更
【補正の内容】
【００４０】
図１は本発明の一実施形態に係る流体下降装置の第１種基本構成１の概要を示す斜視図であり、図２は本発明の一実施形態に係る流体下降装置の第１種基本構成１の断面図である。同図に示すように、本発明の流体下降装置の第１種基本構成１は、ワイン等の流体を注げるよう上部が開いた流体受け部２と、該流体受け部２の底部はなだらかに流体を下方に導くよう口径が小さくなるほぼ漏斗型の流体収束部３とその下部の底が閉じられた筒状部の横に複数細い流体噴出孔５とを備えた流体噴出部４にて構成されている。
【手続補正８】
【補正対象書類名】明細書
【補正対象項目名】００４１
【補正方法】変更
【補正の内容】
【００４１】
ボトル、デキャンタ等から注がれたワインを含む流体は、まず流体受け部２で受けられる。上記流体は上部から下部に行くに従って口径が小さくなる漏斗状の流体収束部３を経由して流体噴出部４に導かれる。流体噴出部４に流下された流体は流体噴出孔５より外部に向かってシャワー状に噴出する。
【手続補正９】
【補正対象書類名】明細書
【補正対象項目名】００４２
【補正方法】変更
【補正の内容】
【００４２】
第１種基本構成１は、流体受け部２から流体噴出部４まで中空状であり、該流体噴出部４より下方は塞がれていて、流体受け部２より流下された流体の全量が、流体噴出孔５から噴出されるように構成される。
【手続補正１０】
【補正対象書類名】明細書
【補正対象項目名】００４５
【補正方法】変更
【補正の内容】
【００４５】
図５は、第１種基本構成１を多段に重ねる場合、上下の第１種基本構成１を接続するための接続リング８の断面図である。接続リング８の上／下部は、基本構成１の流体受け部２の上／下部と同一構造であるので上下の第１種基本構成１を水密に嵌合して接続することができる。また、このリング壁に空気流通口７を設けても良い。この場合は、第１種基本構成１の流体受け部２の空気流通口７を省略することができる。
【手続補正１１】
【補正対象書類名】明細書
【補正対象項目名】００４８
【補正方法】変更
【補正の内容】
【００４８】
図８は、本発明の一実施形態に係る流体下降装置の第１種基本構成１を多段式に構成してワイングラス９上に設置した概要図である。図８に示すように、該第１種基本構成１は、１つまたは複数の第１種基本構成１を多段に組み合わせて流体下降装置として構成することが可能である。このような多段構成によって、該流体下降装置は、長い経路にわたって流体を流下させることによってより多くの空気と馴染ませ触れさせることによって味と香りを増長させ、かつ最上段から下段へと流体がシャワー状に噴出しつつ移動する様は食事やパーティの雰囲気を盛り上げる高い視覚的効果を実現する。本発明における流体下降装置は、ワイングラスやデキャンタの上に乗せる程度の大きさに限定されず、構成受け具を設置して様々な形の受け容器に配置可能としても良い。
【手続補正１２】
【補正対象書類名】明細書
【補正対象項目名】００４９
【補正方法】変更
【補正の内容】
【００４９】
図９は、本発明の一実施形態に係る流体下降装置をワイングラス９上に設置する場合、より安定に設置するためのアダプター１０の斜視図、図１０は該アダプターの１０の断面図である。アダプター１０の上部は、第１種基本構成１の流体受け部２の上部と同構造のリング状であり、リング底面には第１種基本構成１の流体噴出部４が突出できる口径の開口部１１が開けられている。
【手続補正１３】
【補正対象書類名】明細書
【補正対象項目名】００５１
【補正方法】変更
【補正の内容】
【００５１】
図１２は、本発明の一実施形態に係る流体下降装置を構成する場合、全体デザインを重視して、最上段の第１種基本構成１は、第１種基本構成１の流体受け部２の上部をワイングラス上部のように縮形した形（上部基本構成２１）とし、最下段の第１種基本構成１は第１種基本構成１の下方を絞った形（下部基本構成２２）とする構成をとった場合の模式的断面図である。この場合、さらに、ワイングラス上に設置するアダプター１０は最下段の第１種基本構成１に適合した形状２３とする。このようなデザイン的に優れた多段構成によって、該流体下降装置は、長い経路にわたって流体を流下させることによってより多くの空気と馴染ませ触れさせることによって味と香りを増長させる一方、最上段から下段へと流体がシャワー状に噴出しつつ移動する様は、食事やパーティの雰囲気をさらに一段と盛り上げる高い視覚的効果を実現する。
【手続補正１４】
【補正対象書類名】明細書
【補正対象項目名】００５２
【補正方法】変更
【補正の内容】
【００５２】
図１３は、無機的なデザイン感を演出するため、幾何学的断面を有する形態（上部に開いたラッパ状）の第２種基本構成３０の概略図である。このように基本構成をラッパ状の第２種基本構成３０にすると、第１種基本構成１を重ねて接続した場合の接続リング８の形状を変更しなければならない。
【手続補正１５】
【補正対象書類名】明細書
【補正対象項目名】００５３
【補正方法】変更
【補正の内容】
【００５３】
図１４は、上記第２種基本構成３０を多段に接続する場合の接続具３１の概要図である。接続具３１は、基本構成２の中間を支持する支持リング３２と支持リング３２に設けられた接続パイプ３４と、支持リング３２同士を接続する金属線等より構成される支持柱３３及びワイングラスやデキャンタ上に設置するためのアダプター３５から構成されている。支持柱３３の下部は花びら状第２種基本構成３０（花びら状の形状については後述する）の上部に妨害とならないよう屈曲してある。また、アダプター３５は、ワイングラスの口径より大きな円盤状で中心部には第２種基本構成３０の流体噴出部が突出できるような口径の開口がある。該アダプターの上部には支持リング３２と同位置に支持柱を受ける複数の接続パイプ３４が設置されている。最下段の支持柱３６は直線で良い。
【手続補正１６】
【補正対象書類名】明細書
【補正対象項目名】００５４
【補正方法】変更
【補正の内容】
【００５４】
図１５は、接続具３１を構成する支持リング３２と支持柱３３の接続部の詳細図である。支持柱３３は支持リング３２の外周１２０度ごとに取り付けられた接続パイプ３４に差し込まれる。このように支持リング３２と支持柱３３によって多段の接続具３１を構成することができる。接続リング３２と支持柱３３を接続パイプ３４によって接続したが、確実に固定でき、且つ安全に着脱可能であれば、これらに限定されるものではない。
【手続補正１７】
【補正対象書類名】明細書
【補正対象項目名】００５５
【補正方法】変更
【補正の内容】
【００５５】
図１６は、本発明の一実施形態に係る流体下降装置の第２種基本構成３０を接続具３１を用いて多段に接続し、アダプター３５を最下段に付加してワイングラス上に設置した概要図である。このように多段に構成することによって、最上段の第２種基本構成３０で受けたワイン等の流体は流体噴出部４から噴出され、流体噴出部４から噴出した流体は、次段の第２種基本構成３０で受けられ、同様にその流体噴出部４から更に次段の第２種基本構成３０で受けられ、最終的にワイングラスやカップ、またはデキャンタなどを含む容器にサーブされる。本発明における流体下降装置は、ワイングラスやデキャンタの上に乗せる程度の大きさに限定されず、構成受け具を設置して様々な形の受け容器に配置可能としても良い。
【手続補正１８】
【補正対象書類名】明細書
【補正対象項目名】００５６
【補正方法】変更
【補正の内容】
【００５６】
図１７，１８，１９は、第２種基本構成３０を支える支持リングを外部のスタンドによって支持した場合の本発明の一実施形態における流体下降装置における接続部を示す図である。これらの場合には、更にデザイン性を考慮して第２種基本構成３０の流体受け部２と流体収束部３を一体化して花びら状にし、その下部に流体噴出部４を設けた花びら状第２種基本構成３０として実現される。このように第２種基本構成３０を花びら状とすることで、各図に示すように、独特の視覚的効果を有するインテリアとして使用することも可能である。
【手続補正１９】
【補正対象書類名】明細書
【補正対象項目名】００５７
【補正方法】変更
【補正の内容】
【００５７】
図２０は、本発明の一実施形態に係る第１種基本構成１を用いた流体下降装置が、複数人数分を一度にサーブできる場合の全体概要を示す概略図である。多くの人が参加するイベントでは、複数の人に同時にサーブできるよう、該流体下降装置を大きな容器に設置し、個々の人が自分でサーブする行為そのものをイベントの楽しい演出としてもよい。
【手続補正２０】
【補正対象書類名】明細書
【補正対象項目名】００５８
【補正方法】変更
【補正の内容】
【００５８】
図２１は、本発明の一実施形態に係る第２種基本構成３０を用いた流体下降装置が循環ポンプを有する受け容器に設置された場合の全体概要を示す概略図である。かかる構成により、最上段に設置された第２種基本構成３０を用いた流体下降装置に注がれる流体は、さらに下段の第２種基本構成３０を用いた流体下降装置へ、各流体噴出部より噴出しつつ流下するが、最下段の第２種基本構成３０を用いた流体下降装置より噴出された流体は、図示されるように受け容器６７によって一旦保持され、受け容器６７の側面に設置された循環ポンプより上方へ流体が移動されてポンプ排出口６９より再び最上段の第２種基本構成３０を用いた流体下降装置へと注がれる。
【手続補正２１】
【補正対象書類名】明細書
【補正対象項目名】００５９
【補正方法】変更
【補正の内容】
【００５９】
図２２、２３は、本発明の一実施形態に係る流体下降装置において、第１種基本構成１及び第２種基本構成３０の流体収束部３と流体噴出部４が差し込み式、またはねじ込み式として着脱可能である場合の流体受け部を収納する場合の概略図である。これによって、流体受け部２を重ねて保管して置くことができるので保管スペースを少なくすることができ、かつ使用後の洗浄にも便利である。
【手続補正２２】
【補正対象書類名】明細書
【補正対象項目名】００６０
【補正方法】変更
【補正の内容】
【００６０】
ここで、図１８及び図１９の説明に戻る。両図は、本発明に係る流体下降装置を視覚的効果を十分に持たせた態様で実施する場合の実施例、製作例を示した図である。両図に示されるように、寸法のとり方によって、独特の視覚的効果を生み出すことができるため、飲料を飲む用途のみならず、宣伝的用途においても、十分本発明を利用することができる。
【手続補正２３】
【補正対象書類名】明細書
【補正対象項目名】００６１
【補正方法】変更
【補正の内容】
【００６１】
図２４は本発明の一実施形態に係る流体下降装置の第３種基本構成の全体概要を示す斜視図であり、図３３は本発明の一実施形態に係る流体下降装置の第３種基本構成の正面図である。同図に示すように、本発明の流体下降装置の第３種基本構成５１は、上部が広く開いた漏斗状の流体受け部５２と、該流体受け部の下部に配置される接続口５３と、該接続口に連設され、該流体受け部より流下される流体が通る筒部５４と、該筒部に設けられる複数の細い流体噴出孔５０１によって構成される流体噴出部５５と、および該筒部に連設される筒状の接続部５６とを備えて構成される。
【手続補正２４】
【補正対象書類名】明細書
【補正対象項目名】００６３
【補正方法】変更
【補正の内容】
【００６３】
接続口５３は、流体受け部５２で受けた流体を滞ることなく筒部５４へと導くのに充分な口径を有する。該接続口５３から連設された筒部５４には、複数の細い流体噴出孔５０１からなる流体噴出部５５が設けられ、流体受け部５２から接続口５３を経由して筒部５４に流下された流体は該流体噴出部５５の流体噴出孔５０１より筒部５４外部に向かってシャワー状に噴出する。
【手続補正２５】
【補正対象書類名】明細書
【補正対象項目名】００６４
【補正方法】変更
【補正の内容】
【００６４】
筒部５４は、流体を噴出する複数の細い流体噴出孔５０１よりなる流体噴出部５５までは中空状であり、該流体噴出部５５より下方は塞がれていて、流体受け部５２より流下された流体の全量が、流体噴出部５５から噴出されるように構成される。これによって、流体下降装置の第３種基本構成５１を流下するワインを含む流体は、筒部５４内下方に残留することがないため、流体下降装置の第３種基本構成５１を流下する流体は、常に新しく注がれて、かつその時に最も良い状態でサーブされることが可能となる。
【手続補正２６】
【補正対象書類名】明細書
【補正対象項目名】００６６
【補正方法】変更
【補正の内容】
【００６６】
図２５は、本発明の一実施形態に係る流体下降装置の第３種基本構成５１を多段式に構成した際の全体概要を示す斜視図である。また、図２７は、本発明の一実施形態に係る流体下降装置の第３種基本構成５１を多段に組み合わせてワイングラス、またはデキャンタに設置した図である。図２５に示すように、該流体下降装置の第３種基本構成５１は、１つまたは複数を多段式に組み合わせて構成することが可能である。流体下降装置の第３種基本構成５１を２段に重ねた場合その接続部５６は、下段の流体下降装置の第３種基本構成５１の接続口５３に嵌合されて接続される。接続部５６は筒型をなすが、その口径は接続口５３に無理なく嵌合されるものの接続部５６に連設する筒部５４の口径より小さく、そのため接続口５３に挿入されるのは接続部５６のみで、接続口５３の口径より筒部５４の口径が大きいため、それ以上は陥入せずに固定され、安定した多段構成が可能となる。
【手続補正２７】
【補正対象書類名】明細書
【補正対象項目名】００６７
【補正方法】変更
【補正の内容】
【００６７】
このように多段に構成することによって、上段の流体下降装置の第３種基本構成５１の流体受け部５２で受けた流体は筒部５４を通って流体噴出部５５から噴出される。噴出された流体は下段の流体下降装置の第３種基本構成５１の流体受け部５２で受けられ、同様に筒部５４を流下して流体噴出部５５から外部に向かって噴出されて、最後にワイングラスやカップ、またはデキャンタなどを含む容器にサーブされる。
【手続補正２８】
【補正対象書類名】明細書
【補正対象項目名】００６８
【補正方法】変更
【補正の内容】
【００６８】
上記のような構成は、図２７に示すように複数の流体下降装置の第３種基本構成５１を縦方向へ同様に接続し組み合わせることによって、さらに多段に重ねて構成することが可能となる。このような多段構成によって、該流体下降装置は、長い経路にわたって流体を流下させることによってより多くの空気と馴染ませ触れさせることによって味と香りを増長させ、かつ最上段から下段へと流体がシャワー状に噴出しつつ移動する様は食事やパーティの雰囲気を盛り上げる高い視覚的効果を実現する。
【手続補正２９】
【補正対象書類名】明細書
【補正対象項目名】００７０
【補正方法】変更
【補正の内容】
【００７０】
また図３３は、流体噴出部５５の内形と接続部５６の外形が円形であり、かつ接続部５６の外形に流体が流れるように窪みが設けられた例である。このような形状では、複数の第３種基本構成５１を重ねた場合、上段の流体下降装置の第３種基本構成５１の流体受け部５２と流体噴出部５５の接続部５６に下段の流体下降装置の第３種基本構成５１の接続口５３がしっかり嵌合する。
【手続補正３０】
【補正対象書類名】明細書
【補正対象項目名】００７１
【補正方法】変更
【補正の内容】
【００７１】
かかる構成によれば、上段の流体下降装置の第３種基本構成５１の流体受け部５２にワインのような流体を注いだ場合、流体は流体受け部５２から接続口５３を経由して筒部５４に導かれ、細い流体噴出孔５０１より構成される流体噴出部５５から図示のように周囲にシャワー状に噴出し、噴出された流体は下段の流体下降装置の第３種基本構成５１の流体受け部５２に捕捉されて筒部５４より流下して接続口５３に導かれるが、上段の流体下降装置の第３種基本構成５１の筒部５４が接続するこの部分は、筒部５４の形状が図２６の如く構成されているため、流体は円形と三角形または窪みの隙間を通って流体噴出部５５下部に流れ込み、下段の流体下降装置の第３種基本構成５１の筒部５４に設けられた流体噴出部５５の流体噴出孔５０１から周囲に噴出する。
【手続補正３１】
【補正対象書類名】明細書
【補正対象項目名】００７２
【補正方法】変更
【補正の内容】
【００７２】
筒部５４の内形と接続部５６の外形は、上記のような形状に限定されず、流体噴出部を有する筒部５４及び接続部５６を接続した際に、さらに下段の流体下降装置における筒部５４と接続部５６との間に流体が通過できる間隙ができれば良い。
【手続補正３２】
【補正対象書類名】明細書
【補正対象項目名】００７４
【補正方法】変更
【補正の内容】
【００７４】
図３０は、本発明の一実施形態に係る流体下降装置が循環ポンプを有する受け容器に設置された場合の全体概要を示す概略図である。かかる構成により、最上段に設置された流体下降装置に注がれる流体は、さらに下段の流体下降装置へ、各流体噴出部より噴出しつつ流下するが、最下段の流体下降装置より噴出された流体は、図示されるように受け容器６７によって一旦保持され、受け容器６７の側面に設置された循環ポンプより上方へ流体が移動されてポンプ排出口６９より再び最上段の流体下降装置における流体受け部へと注がれる。
【手続補正３３】
【補正対象書類名】明細書
【補正対象項目名】００７９
【補正方法】変更
【補正の内容】
【００７９】
上述した実施例は、本発明に係る技術思想を具現化するための実施形態の一例を示したにすぎないものであり、他の実施形態でも本発明に係る技術思想を適用することが可能である。たとえば、上記においては、本発明に係る技術的思想をワインやジュース等の飲料をサーブする用途を主に説明したが、本発明に係る技術的思想はこれ以外にも、空気と混在させることで一定の効果がある分野において用いることができる。たとえば、工業上、一定の液体を多段階にわたって空気に触れさせた後に別の化合物と混合する場合などに用いることが可能である。さらに、本下降装置を流下する媒体としては液体に限られることなく、粒体でもよく、一定の流動性を備えた材質であればよい。
【手続補正３４】
【補正対象書類名】明細書
【補正対象項目名】００８１
【補正方法】変更
【補正の内容】
【００８１】
上述したように、本発明に係る発明によれば、ワインを含む流体を、ワインボトルまたはデキャンタなどから各人が飲むためのグラス、またはカップ等の容器に移す際に、多段式かつ着脱可能な流体下降装置を使用してサーブすることによって、流体全体をまんべんなく十分な空気に触れさせて味をマイルドにし、かつ香りを増長させることが可能となる。
【手続補正３５】
【補正対象書類名】明細書
【補正対象項目名】００８３
【補正方法】変更
【補正の内容】
【００８３】
１…流体下降装置第１種基本構成、２…流体受け部、３…流体収束部、４…流体噴出部、５…流体噴出孔、６…リム、７…空気流通口、８…接続リング、９…ワイングラス、１０…アダプター、１１…開口部、２１…上部基本構成、２２…下部基本構成、２３…別形状のアダプター、３０…流体下降装置第２種基本構成、３１…接続具、３２…支持リング、３３…支持柱、３４…接続パイプ、３５…更に別形状のアダプター、３６…直線状支持柱、３７…支持スタンド、５１…流体下降装置第３種基本構成、５２…流体受け部、５３…接続口、５４…筒部、５５…流体噴出部、５６…接続部、５０１…流体噴出孔、６７…受け容器、６８…循環ポンプ、６９…ポンプ排出口、７０…構成受け具
【手続補正３６】
【補正対象書類名】図面
【補正対象項目名】図１１
【補正方法】変更
【補正の内容】
【図１１】
2011118086.tif 000046
【手続補正３７】
【補正対象書類名】図面
【補正対象項目名】図１３
【補正方法】変更
【補正の内容】
【図１３】
2011118086.tif 000047
【手続補正３８】
【補正対象書類名】図面
【補正対象項目名】図１４
【補正方法】変更
【補正の内容】
【図１４】
2011118086.tif 000048
【手続補正３９】
【補正対象書類名】図面
【補正対象項目名】図１５
【補正方法】変更
【補正の内容】
【図１５】
2011118086.tif 000049
【手続補正４０】
【補正対象書類名】図面
【補正対象項目名】図１６
【補正方法】変更
【補正の内容】
【図１６】
2011118086.tif 000050
【手続補正４１】
【補正対象書類名】図面
【補正対象項目名】図２０
【補正方法】変更
【補正の内容】
【図２０】
2011118086.tif 000051
【手続補正４２】
【補正対象書類名】図面
【補正対象項目名】図２１
【補正方法】変更
【補正の内容】
【図２１】
2011118086.tif 000052
【手続補正４３】
【補正対象書類名】図面
【補正対象項目名】図２２
【補正方法】変更
【補正の内容】
【図２２】
2011118086.tif 000053
【手続補正４４】
【補正対象書類名】図面
【補正対象項目名】図２５
【補正方法】変更
【補正の内容】
【図２５】
2011118086.tif 000054
【手続補正４５】
【補正対象書類名】図面
【補正対象項目名】図２６
【補正方法】変更
【補正の内容】
【図２６】
2011118086.tif 000055
【手続補正４６】
【補正対象書類名】図面
【補正対象項目名】図３０
【補正方法】変更
【補正の内容】
【図３０】
2011118086.tif 000056
【手続補正４７】
【補正対象書類名】図面
【補正対象項目名】図３３
【補正方法】変更
【補正の内容】
【図３３】
2011118086.tif 000057
【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
注ぎこまれた流体を受ける流体受け部と、
前記流体受け部の下方に連設された漏斗状の流体収束部と、
前記流体収束部の下部に連設され、かつ前記流体を噴出するための複数の流体噴出孔を有する流体噴出部と、
前記流体受け部の上端に接続された接続リングとを備え、
前記流体受け部の下端部と前記流体収束部との連設部の外周が、前記流体受け部の上端部の内周面または前記接続リングの上端部の内周面に嵌合可能に形成されて、
一の流体下降装置の前記連設部を、
他の流体下降装置が有する前記流体受け部の上端部の内周面または他の流体下降装置に接続された前記接続リングの上端部の内周面に嵌合させて、
これら流体下降装置を積み重ね、
前記一の流体下降装置の前記流体噴出孔から噴出された前記流体を前記他の流体下降装置に注ぎ込むことができることを特徴とする流体下降装置。
【請求項２】
請求項１に記載の流体下降装置において、
少なくとも前記他の流体下降装置の前記流体受け部、
または前記接続リングが空気流通口を有することを特徴とする流体下降装置。
【国際調査報告】
2011118086.tif 000058
2011118086.tif 000059